(57)【要約】【課題】ケーシング内部のクリーニングを簡単にしかも短時間で行え、かつ送給物が軸受け部に流れ込むことのないシール性の高いギアポンプを提供する。【解決手段】軸受けを介して回転可能に支持され一端を駆動源に連結する駆動軸（１）と、この駆動軸（１）に平行に配置され同じく軸受けを介して回転可能に支持される従動軸（２）と、駆動軸（１）及び従動軸（２）のそれぞれに設置され駆動軸（１）の回転駆動に伴い互いに逆向きに回転して送給物の吸引と吐出を行う一対のギア状ローラ（３、４）と、前記駆動軸（１）及び従動軸（２）を各ギア状ローラ（３、４）とともに収納するケーシング（５）とを備えたギアポンプにおいて、前記ケーシング（５）を、駆動軸（１）、従動軸（２）の軸心（Ｌ）に沿う合わせ面（６ａ、６ｂ）を有する２つ割りの分割体（５ａ、５ｂ）にて構成する。【選択図】図１
2005194909.tif 000002
【特許請求の範囲】
【請求項１】
軸受けを介して回転可能に支持され一端を駆動源に連結する駆動軸と、この駆動軸に平行に配置され同じく軸受けを介して回転可能に支持される従動軸と、前記駆動軸及び従動軸のそれぞれに設置され該駆動軸の回転駆動に伴い互いに逆向きに回転して送給物の吸引と吐出を行う一対のギア状ローラと、前記駆動軸及び従動軸を各ローラとともに収納するケーシングとを備えたギアポンプであって、
前記ケーシングは、前記駆動軸、従動軸の軸心に沿う合わせ面を有する２つ割りの分割体よりなることを特徴とするギアポンプ。
【請求項２】
前記ケーシングは、前記駆動軸及び従動軸の軸心に沿う向きに取り付け、取り外し可能でかつ該ケーシングと同等の合わせ面を有するな２つ割りの軸受け箱を有する請求項１記載のギアポンプ。
【請求項３】
前記駆動軸及び従動軸は、それぞれ該駆動軸及び従動軸とともに回転可能でかつ軸受けへの送給物の侵入を防止するカラーを有する請求項１又は２記載のギアポンプ。
【請求項４】
前記ローラの両側にそれぞれ駆動軸及び従動軸の軸上にて摺動し軸受け箱への送給物の侵入を阻止するシール部材を設けた請求項２又は３記載のギアポンプ。
【発明の詳細な説明】
【技術分野】
【０００１】
本発明はゴムやプラスチック等を送給物としてその定量吐出を可能とするギアポンプに関するものであり、該ポンプの軸受け部におけるシール性を高めるとともに、簡易な作業のもとでポンプ内部をクリーニングしようとするものである。
【背景技術】
【０００２】
従来、ギアポンプは、一端を駆動原に連結する駆動軸と、この駆動軸と平行配列になる従動軸と、各軸のそれぞれに配置され該駆動軸の回転に伴って互いに逆向きに回転して送給物の吸引、吐出を行う一対のギア状ローラと、これらの部材を収納するケーシングとからなっており、送給物の種類を変更する等、ケーシング内部をクリーニングする必要がある場合には、該ケーシングに設けられたサイドカバー（軸受け箱を兼ねたもの）を取り外したのち駆動軸及び従動軸をその軸心に沿ってローラとともに引き抜く作業が必要とされていた（例えば特許文献１参照）。
【特許文献１】特開平５−１１６２００号公報
【０００３】
ところで、従来のギアポンプは、ケーシングの内部、とくにギアが入り込む内部は開放面積が小さく、その内壁面にへばり着いている送給物を取り除くクリーニングはとくに送給物がゴムの場合には非常に困難で効率的な作業ができない不具合があった。
【０００４】
また、この種のポンプは、ローラのサイドにＯリング等のシール部材を配置して軸封するのが一般的になっているが、該シール部材の摩耗度合いが大きくなるとその隙間を通して送給物が軸受け部に漏れ出てくるのが避けられないことから軸受けの性能に悪影響を及ぼすこともあって軸受けの頻繁な交換をせざるをえず長時間にわたって安定した操業が実現し難いところに問題を残していた。
【発明の開示】
【発明が解決しようとする課題】
【０００５】
本発明の課題は、ポンプ内部のクリーニングがし易く、軸受け部分への送給物の侵入を防止できるシール性の高い新規なギアポンプを提案するところにある。
【課題を解決するための手段】
【０００６】
本発明は、軸受けを介して回転可能に支持され一端を駆動源に連結する駆動軸と、この駆動軸に平行に配置され同じく軸受けを介して回転可能に支持される従動軸と、駆動軸及び従動軸のそれぞれに設置され駆動軸の回転駆動に伴い互いに逆向きに回転して送給物の吸引と吐出を行う一対のギア状ローラと、前記駆動軸及び従動軸を各ギアとともに収納するケーシングとを備えたギアポンプであって、
前記ケーシングは、前記駆動軸、従動軸の軸心に沿う合わせ面を有する２つ割りの分割体よりなることを特徴とするギアポンプである。
【０００７】
上記の構成になるギアポンプにおいてケーシングは、駆動軸及び従動軸の軸心に沿って取り付け、取り外し可能１でかつ該ケーシングと同等の合わせ面を有するな２つ割りの軸受け箱を備えるものが望ましい。
【０００８】
また、前記駆動軸及び従動軸は、それぞれ該駆動軸及び従動軸とともに回転可能でかつ軸受けへの送給物の侵入を防止するカラーを配置することができる。
【０００９】
さらに、前記ローラの両側にそれぞれには前記駆動軸及び従動軸の軸上にて摺動し軸受け箱への送給物の侵入を阻止するシール部材を設けるのが望ましい。
【発明の効果】
【００１０】
ケーシングを２つ割りの分割体として、これを駆動軸、従動軸の軸心に沿う合わせ面で切り離すことで、ケーシング内部に配置した構成部材の取り外しが簡単であるばかりか、ケーシングの内側のクリーニングを簡便に行い得る。とくに、サイドカバーを開けて内部の構成部材を引き出す従来構造のギアポンプの場合ではクリーニングに要する時間は分解、組立時間を含めて２〜３時間程度要していたが、本発明に従う構造のものでは、０．５時間以下の短時間で済む。
【００１１】
また、駆動軸、従動軸の軸受け近傍域に各軸とともに回転可能なカラーを配置することで送給物の軸受けへの侵入を阻止することが可能で、軸受けの長寿命化を図ることができる。
【発明を実施するための最良の形態】
【００１２】
以下、図面を用いて本発明をより具体的に説明する。
図１は本発明に従うギアポンプの外観を分解状態で示した斜視図である。
【００１３】
図における１は一端を継手（カップリング）を介して駆動源（図示せず）に連結する駆動軸である。この駆動軸１は回転可能に支持することができるようにその両端にそれぞれ軸受け１ａが取り付けられている。
【００１４】
また、２は駆動軸１に平行に配置される従動軸であって、この従動軸２も駆動軸１と同様にその両端に軸受け２ａが取り付けられている。
【００１５】
３は駆動軸１に一体的に設けられその外周面に複数の係合爪を有するギア状ローラ、４は従動軸２に一体的に設けられローラ３の係合爪にかみ合う複数の係合爪を有するたギア状ローラである。ローラ３及びローラ４は駆動軸１の回転駆動に伴い互いに逆向きに回転して送給物の吸引と吐出を行う。
【００１６】
５は駆動軸１、従動軸２をローラ３、４とともに収納するケーシングである。このケーシング５はこの例では上側及び下側の２つ割りの分割体５ａ、５ｂからなるものとして示してあり、駆動軸１の軸心Ｌ（従動軸２の軸心Ｌ１と共通）に沿う合わせ面６ａ、６ｂを有し、分割体５ａには吸引口Ｓｃが、また、分割体５ｂには吐出口Ｄｉがそれぞれ設けられている。
【００１７】
また、７、８は駆動軸１、従動軸２の軸心に沿う向きに取り付け、取り外し可能でかつケーシング５と同等の合わせ面を有する２つ割りの軸受け箱、９は駆動軸１にキー等の回り止めを介して取り付けられ該駆動軸１とともに回転可能なカラー、１０は従動軸２にキー等の回り止めを介して取り付けられ該従動軸２とともに回転可能なカラーである。
【００１８】
カラー９、１０はともに軸受け１ａ、２ａとローラ３、４の間に配置されていて、軸を伝わって漏れ出てくる送給物を遮断して軸受けへの侵入を防止する。
【００１９】
また、１１、１２はケーシング５（５ａ、５ｂ）の座面ｃと軸受け箱７、８の端面にてそれぞれ挟圧保持される２つ割りのシール部材（ゴム等）である。このシール部材１１、１２はローラ３、４の両側端に位置するもので、駆動軸１、従動軸２への接触下に摺動する凹部１１ａ、１２ａと圧力開放溝１１ｂ、１２ｂを有し、軸受け箱７、８への送給物の侵入を阻止する。
【００２０】
さらに、１３、１４はケーシング５の両サイドにそれぞれボルトを介して装着されその内部を密閉状態に保持するカバー（軸受け１ａ、２ａ、の固定、軸受け箱７、８の固定を兼ねる。）である。
【００２１】
上記の構成になるギアポンプは、駆動源によって駆動軸１を回転駆動させることでローラ７、８を回転させ、吸引口Ｓｃより送給物をケーシング５内に吸引するとともに所望の圧力でもって吐出口Ｄｉより定量吐出させる。
【００２２】
送給物をゴムの如き粘性体として送給する送給工程においてその送給物の種類を変更する場合、ケーシングの内部に付着した粘性体を取り除くクリーニングを行ってからでないと種類の異なるものを送給することができないが、本発明に従うギアポンプは、ケーシング５を合わせ面６ａ、６ｂを境にして分割体５ａ、５ｂを切り離し分割体５ａについてはその内面を外側に向けることで、また、分割体５ｂについては駆動軸１及び従動軸２を引き上げることで各内壁面をクリーニングすることが可能であり効率的な作業が行える。
【００２３】
また、上記の構成になるギアポンプにおいては、シール部材１１、１２に加えてカラー９、１０を設置した二段のシール方式となっているので、シール部材１１、１２の摩耗によってその隙間を経て送給物が漏れ出てくるようなことがあってもカラー９、１０によって確実に遮断することが可能で軸受け１ａ、２ａの長寿命化を図ることができる。
【００２４】
本発明の実施の形態では、駆動軸１と従動軸２を水平に平行配置した横置き構造として示したが、駆動軸１と従動軸２を上下に平行配置する縦置き構造、あるいは駆動軸１及び従動軸２を垂直に配置（軸心を垂直にする）する構造としてもよく、この点については限定されない。
【００２５】
また、軸受け箱７、８については、ケーシング５と別体になる２つ割りの分割構造として示したが、シール部材１１、１２の挟圧支持が可能ならば一体構造であってもかまわない。
【産業上の利用可能性】
【００２６】
分解、組立が簡単で内部におけるクリーニング作業の容易なギアポンプを提供できる。
【図面の簡単な説明】
【００２７】
【図１】本発明にしたがうギアポンプの外観を分解状態で示した斜視図である。
【符号の説明】
【００２８】
１  駆動軸
１ａ  軸受け
２  従動軸
２ａ  軸受け
３  ギア状ローラ
４  ギア状ロータ
５  ケーシング
５ａ  分割体
５ａ  分割体
６ａ  合わせ面
６ｂ  合わせ面
７  軸受け箱
８  軸受け箱
９  カラー
１０  カラー
１１  シール部材
１２  シール部材
１３  カバー
１４  カバー
【図１】
2005194909.tif 000003